【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
二色性物質を配向させたポリビニルアルコール系樹脂からなる厚みが１０μｍ以下の連続ウェブの有機ＥＬ表示装置用偏光膜であって、
単体透過率をＴ、偏光度をＰとしたとき、
Ｔ≧４４．５、および９９．７≧Ｐ≧９６．８
の条件を満足する光学特性を有するようにされたものである
ことを特徴とする有機ＥＬ表示装置用偏光膜。
【請求項２】
前記二色性物質が、ヨウ素またはヨウ素と有機染料の混合物であることを特徴とする請求項１に記載の有機ＥＬ表示装置用偏光膜。
【請求項３】
請求項１または２に記載の前記有機ＥＬ表示装置用偏光膜の連続ウェブの一方の面に光学機能フィルムを貼り合せ、他方の面に粘着剤層を形成し、前記粘着剤層を介してセパレータを剥離自在に積層するようにしたことを特徴とする光学機能フィルム積層体。
【請求項４】
請求項１または２に記載の前記有機ＥＬ表示装置用偏光膜の連続ウェブの一方の面に第１光学機能フィルムを貼り合せ、他方の面に第２光学機能フィルムを貼り合せて生成された積層体の一方の面に、粘着剤層を介してセパレータを剥離自在に積層するようにしたことを特徴とする光学機能フィルム積層体。
【請求項５】
請求項１または２に記載の前記有機ＥＬ表示装置用偏光膜の連続ウェブの一方の面に保護層を貼り合せ、他方の面に前記有機ＥＬ表示装置用偏光膜と共に用いられて円偏光を生成するための位相差層を貼り合せて生成された積層体の一方の面に、粘着剤層を介してセパレータを剥離自在に積層するようにした光学機能フィルム積層体。
【請求項６】
連続ウェブの非晶性熱可塑性樹脂基材と、
該非晶性熱可塑性樹脂基材に製膜された二色性物質を配向させたポリビニルアルコール系樹脂からなる厚みが１０μｍ以下の有機ＥＬ表示装置用偏光膜と
を含む光学フィルム積層体であって、
単体透過率をＴ、偏光度をＰとしたとき、
Ｔ≧４４．５、および９９．７≧Ｐ≧９６．８
の条件を満足する光学特性を有するようにされたものである
ことを特徴とする光学フィルム積層体。
【請求項７】
前記非晶性熱可塑性樹脂基材は、非晶性エステル系熱可塑性樹脂基材であることを特徴とする請求項６に記載の光学フィルム積層体。
【請求項８】
前記非晶性熱可塑性樹脂基材の厚みは、製膜されるポリビニルアルコール系樹脂層の厚みの６倍以上であることを特徴とする請求項６または７に記載の光学フィルム積層体。
【請求項９】
前記非晶性熱可塑性樹脂基材は、イソフタル酸を共重合させた共重合ポリエチレンテレフタレート、シクロヘキサンジメタノールを共重合させた共重合ポリエチレンテレフタレートまたは他の共重合ポリエチレンテレフタレートを含む非晶性ポリエチレンテレフタレートであることを特徴とする請求項６から８のいずれか１項に記載の光学フィルム積層体。
【請求項１０】
前記非晶性熱可塑性樹脂基材が透明樹脂からなることを特徴とする請求項６から９のいずれか１項に記載の光学フィルム積層体。
【請求項１１】
前記二色性物質が、ヨウ素またはヨウ素と有機染料の混合物であることを特徴とする請求項６から１０のいずれか１項に記載の光学フィルム積層体。
【請求項１２】
請求項６から１１のいずれか１項に記載の前記光学フィルム積層体に含まれる前記有機ＥＬ表示装置用偏光膜の非晶性熱可塑性樹脂基材に製膜されていない面に、粘着剤層を介してセパレータを剥離自在に積層するようにしたことを特徴とする光学フィルム積層体。
【請求項１３】
請求項６から１１のいずれか１項に記載の前記光学フィルム積層体に含まれる前記有機ＥＬ表示装置用偏光膜の非晶性熱可塑性樹脂基材に製膜されていない面に光学機能フィルムを貼り合せ、貼り合された前記光学機能フィルム上に粘着剤層を形成し、前記粘着剤層を介してセパレータを剥離自在に積層するようにしたことを特徴とする光学フィルム積層体。
【請求項１４】
請求項６から１１のいずれか１項に記載の前記光学フィルム積層体に含まれる前記有機ＥＬ表示装置用偏光膜の非晶性熱可塑性樹脂基材に製膜されていない面に、前記有機ＥＬ表示装置用偏光膜と共に用いられて円偏光を生成するための位相差層を貼り合せ、貼り合された前記光学機能フィルム上に粘着剤層を形成し、前記粘着剤層を介してセパレータを剥離自在に積層するようにしたことを特徴とする光学フィルム積層体。
【請求項１５】
連続ウェブの非晶性エステル系熱可塑性樹脂基材と、
該非晶性エステル系熱可塑性樹脂基材に製膜された二色性物質を配向させたポリビニルアルコール系樹脂からなる厚みが１０μｍ以下の有機ＥＬ表示装置用偏光膜と、
を含む光学フィルム積層体を製造するための、配向されたポリビニルアルコール系樹脂からなる延伸中間生成物を含む延伸積層体であって、
前記非晶性エステル系熱可塑性樹脂基材として、配向関数が０．１０以下に設定された、非晶性ポリエチレンテレフタレートが用いられており、
前記延伸中間生成物として、結晶化度が２７％以上で４０％以下、および、配向関数が０．０５以上で０．３５以下に設定されたポリビニルアルコール系樹脂が用いられており、前記有機ＥＬ表示装置用偏光膜は、単体透過率をＴ、偏光度をＰとしたとき、
Ｔ≧４４．５、および９９．７≧Ｐ≧９６．８
の条件を満足する光学特性を有するようにされるものである
ことを特徴とする延伸積層体。
【請求項１６】
前記非晶性エステル系熱可塑性樹脂基材の厚みは、製膜されるポリビニルアルコール系樹脂層の厚みの６倍以上であることを特徴とする請求項１５に記載の延伸積層体。
【請求項１７】
前記非晶性エステル系熱可塑性樹脂基材は、配向関数を０．１０以下に設定した、イソフタル酸を共重合させた共重合ポリエチレンテレフタレート、シクロヘキサンジメタノールを共重合させた共重合ポリエチレンテレフタレートまたは他の共重合ポリエチレンテレフタレートを含む非晶性ポリエチレンテレフタレートであることを特徴とする請求項１５または１６に記載の延伸積層体。
【請求項１８】
前記非晶性エステル系熱可塑性樹脂基材が透明樹脂からなることを特徴とする請求項１５から１７のいずれか１項に記載の延伸積層体。
【請求項１９】
二色性物質を配向させたポリビニルアルコール系樹脂からなり、厚みが１０μｍ以下であり、単体透過率Ｔ及び偏光度Ｐによって表される光学特性が、Ｔ≧４４．５、および９９．７≧Ｐ≧９６．８の条件を満足するように構成された偏光膜と、第１の位相差層と、を含む積層体が、前記第１の位相差層側の面において光学的に透明な粘着剤層を介して有機ＥＬ表示パネルの一方の面に接合され、前記第１の位相差層とは反対側の前記偏光膜の面は透明樹脂材料の保護層に接合され、前記積層体は、前記偏光膜の視認側から内部に入射した光が内部反射して視認側に射出されることを防止するために円偏光を生成するためのものであることを特徴とする有機ＥＬ表示装置。
【請求項２０】
請求項１９に記載した有機ＥＬ表示装置であって、前記偏光膜と第１の位相差層は接合されていることを特徴とする記載の有機ＥＬ表示装置。
【請求項２１】
請求項１９または２０に記載した有機ＥＬ表示装置であって、前記保護層の外側にウインドウが配置されたことを特徴とする有機ＥＬ表示装置。
【請求項２２】
請求項１９から２１のいずれか１項に記載した有機ＥＬ表示装置であって、前記保護層と前記偏光膜との間及び前記偏光膜と前記有機ＥＬ表示パネルの間の少なくとも一方に拡散層が配置されたことを特徴とする有機ＥＬ表示装置。
【請求項２３】
請求項１９から２２のいずれか１項に記載した有機ＥＬ表示装置であって、前記偏光膜と前記保護層との間には該偏光膜と該保護層との間の接着を容易にする易接着層が形成されたことを特徴とする有機ＥＬ表示装置。
【請求項２４】
請求項１９から２３のいずれか１項に記載した有機ＥＬ表示装置であって、前記保護層に帯電防止層が形成されたことを特徴とする有機ＥＬ表示装置。
【請求項２５】
請求項１９から２４のいずれか１項に記載した有機ＥＬ表示装置であって、前記保護層が、前記偏光膜と共に用いられて円偏光を生成するための第２の位相差層として構成されたことを特徴とする有機ＥＬ表示装置。
【請求項２６】
請求項１９から２５のいずれか１項に記載した有機ＥＬ表示装置であって、前記透明樹脂材料の保護層はセルロース系材料又はアクリル系樹脂材料により構成されたものであることを特徴とする有機ＥＬ表示装置。
【請求項２７】
請求項１９から２４、２６のいずれか１項に記載した有機ＥＬ表示装置であって、前記透明樹脂材料の保護層はパターン位相差層を構成することを特徴とする有機ＥＬ表示装置。
【請求項２８】
請求項１９から２７のいずれか１項に記載した有機ＥＬ表示装置であって、前記表示パネルに対して視認側にタッチ検知機能を有するタッチパネル積層体が配置されたことを特徴とする有機ＥＬ表示装置。
【請求項２９】
請求項２８に記載した有機ＥＬ表示装置であって、前記タッチパネル積層体は、パターン化された対の透明電極が誘電体層を介して配置された構成の容量型タッチパネルであることを特徴とする有機ＥＬ表示装置。
【請求項３０】
請求項２９に記載した有機ＥＬ表示装置であって、前記タッチパネル積層体は、視認側最外部材と前記偏光膜との間に配置されたことを特徴とする有機ＥＬ表示装置。
【請求項３１】
請求項２９に記載した有機ＥＬ表示装置であって、前記タッチパネル積層体は、前記偏光膜と前記表示パネルとの間に配置されたことを特徴とする有機ＥＬ表示装置。
【請求項３２】
請求項２８に記載した有機ＥＬ表示装置であって、前記タッチパネル積層体は、透明電極が空気間隙を介して対向電極に対向配置された構成の抵抗膜型タッチパネルであり、視認側最外部材と前記偏光膜との間又は前記偏光膜と前記表示パネルとの間に配置されていることを特徴とする有機ＥＬ表示装置。